(57)【要約】      （修正有）【課題】容器アセンブリから引き出される流体の流量を変更するためにその中に配置された一方向通気弁とを具備する容器アセンブリを提供する。【解決手段】膨張可能な容器システム１００は、容器１０と、膨張可能な乳首２０と、一方向弁とを具備する。膨張可能な乳首は、容器の第１の端部に取り付けられ、弁は、容器の第２の端部に取り付けられる。前記膨張可能な乳首を延ばすことによって、逆方向への付勢力が前記容器内に生成され、前記第１の流体が前記弁を通って引き入れられる。膨張可能な乳首が解放されたとき、膨張可能な乳首が非延長状態に戻るように付勢され、反作用付勢力によって生じた圧力の増加が、第２の流体を膨張可能な乳首の出口から流出させる。【選択図】図２７
2018108387.tif 000002
【特許請求の範囲】
【請求項１】
容器と、
前記容器の第１の端部に取り付けられる膨張可能な乳首と、
前記容器の第２の端部に取り付けられる取り外し可能な弁とを具備し、
前記容器への第１の流体の流入を制御するために、前記弁の入口が選択的に遮断及び遮断解除される膨張可能な容器システム。
【請求項２】
前記弁の入口は、前記膨張可能な乳首の出口からの第２の流体の流出を制御するために、選択的に遮断及び遮断解除される請求項１の膨張可能な容器システム。
【請求項３】
前記弁の入口が遮断されたとき、前記容器中の圧力が減少され、前記膨張可能な乳首の出口から流出する前記第２の流体の流量が減少される請求項１の膨張可能な容器システム。
【請求項４】
遮断解除位置では、前記膨張可能な乳首を延ばすことによって、逆方向への付勢力が前記容器内に生成され、前記第１の流体が前記弁を通って引き入れられ、これにより、前記膨張可能な乳首が解放されたとき、前記膨張可能な乳首が非延長状態に向かって戻るように付勢され、前記反作用付勢力によって生じた圧力の増加が、前記第２の流体を前記膨張可能な乳首の出口から流出させる請求項１の膨張可能な容器システム。
【請求項５】
前記膨張可能な乳首は、カラーによって前記容器の前記第１の端部に取着される請求項１の膨張可能な容器システム。
【請求項６】
前記弁は、弾性部材と、キャップとにより構成され、前記容器の前記第２の端部の凹部に配置されている請求項１の膨張可能な容器システム。
【請求項７】
前記弁は、その表面の一方の容器に配置されている請求項１の膨張可能な容器システム。
【請求項８】
前記膨張可能な乳首は、アコーディオン状の乳首である請求項１の膨張可能な容器システム。
【請求項９】
前記アコーディオン状の乳首は、前記アコーディオン状の乳首のひだに隣接している少なくとも１つの突起を有する請求項８の膨張可能な容器システム。
【請求項１０】
取着部を備えたカバーをさらに具備し、
前記カバーは、第１の開放端部と、前記取着部に隣接している第２の閉止端部とを有する請求項１の膨張可能な容器システム。
【請求項１１】
前記取着部は、使用者の手の一部を受けるように構成され、使用のために前記カバーを逆さにしたとき、前記カバーがボウル状の容器となる請求項１０の膨張可能な容器システム。
【請求項１２】
前記カバーは、前記カラーに取り外し可能に取着され、
前記カバーは、第１のロック要素を有し、
前記カラーは、前記カバーと噛合し、かつ、前記カバーへの取着用取り付け部を形成するように構成された第２のロック要素を有する請求項１の膨張可能な容器システム。
【請求項１３】
容器と、
前記容器の第１の端部に取り付けられた出口を有する供給要素と、
前記容器の第２の端部に取り付けられた入口を備えた通路を有する弁とを具備し、
前記弁の入口は、前記容器への第１の流体の流入を制御するために、選択的に遮断及び遮断解除される容器システム。
【請求項１４】
前記弁の入口を選択的に遮断及び遮断解除することにより、前記出口のオリフィスからの第２の流体の流出を選択的に制御する請求項１３の容器システム。
【請求項１５】
前記弁の入口が遮断されたとき、前記容器中の圧力が減少されて、前記供給要素の前記オリフィスから流出する前記第２の流体の流量を減らす請求項１４の容器システム。
【請求項１６】
前記弁は、弾性部材と、前記容器の前記第２の端部の凹部に配置されたキャップとを有し、前記容器の形が合わせられた首は、前記容器の下側端部に隣接して配置される請求項１３の容器システム。
【請求項１７】
容器と、
前記容器の第１の端部に取り付けられるカラーと、
前記カラーによって前記容器の前記第１の端部に取り付けられる膨張可能な乳首と、
前記容器の第２の端部に取り付けられる弁とを具備し、
前記弁の入口は、前記容器への第１の流体の流入を制御するために、選択的に遮断及び遮断解除され、前記膨張可能な乳首の出口のオリフィスからの第２の流体の流出の遮断及び遮断解除を選択的に制御する膨張可能な容器システム。
【請求項１８】
前記弁への入口が使用者によって手動で遮断されたとき、前記容器中の圧力が減少され、これにより、前記膨張可能な乳首の前記オリフィスから流出する前記第２の流体の流量を減らす請求項１７の膨張可能な容器システム。
【請求項１９】
前記弁は、一方向弁を有し、前記一方向弁は、
通路と、
前記通路の第１の端部に配置される環状フランジの入口と、
前記通路の第２の端部に配置され、付勢されて閉じる円錐形出口と、
前記容器の開口の周縁を受けるように構成された首部分とを有し、
前記首部分は、前記環状フランジの一部を備えた第１のショルダと、前記円錐形出口の一部を備えた第２のショルダとを有する請求項１７の膨張可能な容器システム。
【請求項２０】
前記入口が遮断解除位置にあるとき、前記膨張可能な乳首を延ばすことによって、逆方向への付勢力が前記容器内に生成され、前記第１の流体が前記弁を通って引き入れられ、
これにより、前記膨張可能な乳首が解放されたとき、前記膨張可能な乳首が非延長状態に向かって戻るように付勢され、前記反作用付勢力によって生じた圧力の増加が、第２の流体を前記膨張可能な乳首の出口から流出させる請求項１７の膨張可能な容器システム。
【請求項２１】
容器と、
前記容器の第１の端部に取り付けられる膨張可能な乳首と、
前記容器の第２の端部に取り付けられる取り外し可能な一方向弁とを具備し、
前記膨張可能な乳首が延ばされたとき、前記膨張可能な乳首によって、第１の流体が前記弁を通って引き入れられ、逆方向への付勢力が生成され、これにより、前記膨張可能な乳首が非延長状態に向かって反対方向に移動したとき、前記反作用付勢力によって生じた圧力の増加が、第２の流体を前記膨張可能な乳首の出口から流出させる膨張可能な容器システム。
【請求項２２】
前記第１の流体はまた、前記膨張可能な乳首を吸って前記膨張可能な乳首の出口から前記第２の流体を引き出す乳児又は動物によって引き入れられることができる請求項２１の膨張可能な容器システム。
【請求項２３】
容器と、
前記容器の前記第１の端部に取り付けられる膨張可能な乳首と、
前記容器の第２の端部に取り付けられる取り外し可能な一方向弁とを具備し、
前記膨張可能な乳首が延ばされたとき、第１の流体が前記弁を通って引き入れられ、
前記膨張可能な乳首が反対の非延長方向に移動されたとき、前記容器内の圧力が増加され、前記膨張可能な乳首の出口から第２の流体を流出させる膨張可能な容器システム。
【請求項２４】
前記膨張可能な乳首を咥えている乳児の延長及び非延長方向への口の動きにより、前記容器内の前記第２の流体が前記膨張可能な乳首の出口から流出される請求項２３の膨張可能な容器システム。
【請求項２５】
前記膨張可能な乳首を咥えている乳児の口によって引き起こされる吸引真空圧力により、前記容器内の第２の流体が前記膨張可能な乳首の出口から流出される請求項２３の膨張可能な容器システム。
【発明の詳細な説明】
【技術分野】
【０００１】
本出願は、２０１２年１２月３日に出願された米国特許出願番号１３／６９２，７６０、２０１２年５月１５日に出願された米国仮出願番号６１／６４７，３４１、２０１１年１２月１日に出願された米国仮出願番号６１／５６５，９７２による優先権を主張し、これらの全ての内容が参照としてこの開示に組み込まれる。
【０００２】
主題の開示は、容器を通気し、容器から流体を注入し、容器からの流体の流量を変更するためのシステム及び方法に関する。特に、本開示は、膨張可能な乳首と、容器アセンブリから引き出される流体の流量を変更するためにその中に配置された一方向通気弁とを具備する容器アセンブリに関する。
【背景技術】
【０００３】
さまざまなタイプの弁機構が、ボトルの内部から空気を排出し、過剰な真空の生成を防ぐことが知られている。代表的に知られているものは、多数の構成部品を有し、大きく、組み立てたり分解したりするのに扱いにくい。これらの大きな弁機構は、キャップの近くに配置される飲み口や通気孔を介してキャップに一体化されることができる。
【０００４】
これらの従来の弁機構が効果的でないにもかかわらず、使用前及び使用中のどちらでも注入することが可能でありながら、保育者が容器の乳首を通る流体の流れを有効に加減することを可能にする、有効なこぼれない（spill proof）容器アセンブリ及び方法の必要
性がある。
【発明の概要】
【０００５】
本開示のさまざまな例示的な実施の形態が詳細に説明され、同じ参照符号は、以下の図を参照して、同一の、又は同様の構成要素又は工程を表す。
【図面の簡単な説明】
【０００６】
【図１】図１は、主題の開示による、協働する膨張可能な乳首及び通気孔を有する例示的な容器システムを示す分解組立図である。
【図２】図２は、協働する膨張可能な乳首及び通気孔を有する容器システムを示す図である。
【図３】図３は、増加した容積の膨張体勢にある容器システムの乳首を示す図である。
【図４】図４は、減少した容積の非膨張体勢にある容器システムの乳首を示す図である。
【図５】図５は、容器システムの第１の弁の形態を示す分解図である。
【図６】図６は、容器システムの第１の弁の形態を示す分解図である。
【図７】図７は、容器システムの第２の弁の形態を示す分解図である。
【図８】図８は、容器システムの第２の弁の形態を示す分解図である。
【図９】図９は、容器システムの第２の弁の形態を示す分解図である。
【図１０】図１０は、容器システムの第３の弁の形態を示す分解図である。
【図１１】図１１は、容器システムの第３の弁の形態を示す分解図である。
【図１２】図１２は、容器システムの第４の弁の形態を示す分解図である。
【図１３】図１３は、容器システムの第４の弁の形態を示す分解図である。
【図１４】図１４は、容器システムの第５の弁の形態を示す分解図である。
【図１５】図１５は、容器システムの第５の弁の形態を示す分解図である。
【図１６】図１６は、容器システムの第６の弁の形態を示す分解組立図である。
【図１７】図１７は、容器システムの第６の弁の形態を示す分解組立図である。
【図１８】図１８は、容器システムの突起を有する膨張可能な乳首の形態を示す図である。
【図１９】図１９は、容器システムの突起を有する膨張可能な乳首の形態を示す図である。
【図２０】図２０は、容器システムの突起を有する膨張可能な乳首の形態を示す図である。
【図２１】図２１は、容器システムの他の膨張可能な乳首の形態を示す図である。
【図２２】図２２は、容器システムの他の膨張可能な乳首の形態を示す図である。
【図２３】図２３は、容器システムの他の膨張可能な乳首の形態を示す図である。
【図２４】図２４は、容器システムを用いて保育者によって授乳されている乳児を示す図である。
【図２５】図２５は、容器システムの他の形態を示す分解図である。
【図２６】図２６は、容器システムを示す横断面図である。
【図２７】図２７は、弾性部材が保育者によって操作されているときに容器システムによって授乳されている乳児を示す図である。
【図２８】図２８は、弾性部材が保育者によって操作されているときに容器システムによって授乳されている乳児を示す図である。
【図２９】図２９は、弾性部材が保育者によって操作されているときに容器システムによって授乳されている乳児を示す図である。
【図３０】図３０は、例示的な弾性部材の正面図である。
【図３１】図３１は、例示的な弾性部材の側面図である。
【図３２】図３２は、例示的な弾性部材の横断面図である。
【図３３】図３３は、例示的な弾性部材の平面図である。
【図３４】図３４は、他の例示的な弾性部材の正面図である。
【図３５】図３５は、他の例示的な弾性部材の横断面図である。
【図３６】図３６は、容器システムのカバーの横断面図である。
【図３７】図３７は、容器システムのカバーの斜視図である。
【図３８】図３８は、カバー及びカラーでの取着システムの接続を示す分解組立図である。
【図３９】図３９は、カラーの上のカバーの他の例示的な取り付け接続機構を示す図である。
【図４０】図４０は、カラーの上のカバーの他の例示的な取り付け接続機構を示す図である。
【発明を実施するための形態】
【０００７】
本発明の特定の実施の形態が、図面を参照してより詳しく説明される。
【０００８】
図１は、例示的な容器システム１００を示す分解組立図である。容器システム１００は、カラー３０によって第１の端部１２に取り付けられた膨張可能な乳首２０を備えた容器１０を有する。一方向流体流れ弁４０が、容器１０の第２の端部１４に配置されている。
【０００９】
図２は、容器システム１００の分解図である。容器１０は、第１の端部１２に隣接している取着手段１６を有する。接続部としてねじ式の取着部１６、３６が図示されるが、容器１０の第１の端部１２にカラー３０を接続するためのさまざまな取着機構が使用されてよいことが理解される。
【００１０】
カラー３０は、容器１０の第１の開放端部１２に隣接して接続される下側開放端部３４を有する。噛合するねじ式の取着部３６は、容器１０のねじ式の取着部１６に取着される。開口３２は、膨張可能な乳首２０のフランジ２２を受けるように構成された、カラー３０の上側開放端部に設けられている。
【００１１】
膨張可能な乳首２０は、オリフィス２１を有し、流体がこのオリフィスを通って流れることができる。膨張可能な乳首２０は、下側端部２４に配置されるフランジ２２を有する。フランジ２２の上側面２６は、カラー３０の下側面３８に置かれるように構成されている。フランジ２２の下側面２８は、容器１０の上側面１８に置かれるように構成されている。閉止位置では、フランジ２２は、容器１０と、カラー３０と、膨張可能な乳首２０との間の漏れ止めシールを与えるように構成された弾性シーリング材により構成されている。
【００１２】
図１８ないし図２３を参照すると、膨張可能な乳首２０は、膨張可能な乳首２０の首に配置された間隙空間２５を備えた少なくとも１つのひだ又は折り部２３を有するアコーディオンスタイルの乳首であることができる。膨張可能な乳首２０は、さまざまな機能を提供する。第１に、膨張可能な乳首２０は、以下により詳しく説明されるように、膨張可能な容器システム１００内の容積領域を増加させることが可能である。膨張可能な乳首２０は、ひだ２３及び間隙空間２５が図３に示されるような非延長形態に保たれるように付勢される弾性材料でできていることができる。
【００１３】
第２に、膨張可能な乳首２０は、カラー３０から外側に（図４に示されるように）可撓的に延伸され、乳首の延長部分の軸方向のまわりに３６０度側方に曲がるように弾性的に構成されている。軸（Ａ）は、図３並びに図４に示されるように、容器システム１００の長さ方向とほぼアライメントされている。膨張可能な乳首２０を延ばし曲げることができることの利点は、膨張可能な乳首２０の端部から吸引している、保育される乳児や動物が、膨張可能な乳首の軸（Ａ）とのアライメントから外れて彼らの頭を傾けたときに実現される。膨張可能な乳首２０の端部による可撓的な移動の結果として、乳首２０の先端が保育される乳児や動物の頭との軸方向のアライメントから外れて可撓的に曲げられるので、乳首を咥えている哺乳子は、乳首２０の端部で影響を受けないままである。
【００１４】
この特有のプッシュプルアコーディオンスタイルの乳首２０は、乳首２０に（母乳による授乳と同様に）圧力を減じたり加えたりすることによって、乳児がミルク（又は他の流体）の流れをより容易に自己制御することを可能にする。乳首２０の可撓性は、乳児の頭が容器１０の端部とのアライメントから実質的に外れて動くときさえも、乳児が咥えている状態を維持するのを助ける。膨張可能な乳首２０を使用することなく、従来の膨張可能でない乳首が利用されたとき、保育される乳児や動物は乳首からおそらく離れる。
【００１５】
図２１ないし図２３に示されるように、膨張可能な乳首２０は、カラー３０に最も近いより幅の広いベースと、カラーとの接続部から最も遠く離れた幅の狭い上側部分とを有するように構成されることができる。この形態の利点は、使用中に乳首２０及び容器１０の内部の容積を最大にすることである。膨張可能な乳首２０の幅の広いベースは、増加した容積を与える。図２１に示されるように、カラー３０に最も近いひだは、テーパ状のひだ２３ａとして構成されることができる。カラー３０によって容器１０に取り付けられるテーパ状のひだ２３ａは、カラー３０の上側縁部と面一に置かれるように構成され、これにより、乳首２０とカラー３０との間の取着接続を増強する。
【００１６】
図２ないし図４を参照すると、通気弁４０は、弾性部材４２と、キャップ４４とを有する。空気などの第１の流体（Ｆ１）の流れを与えるために、第１の通路４３が弾性部材４２に設けられている。また、第２の通路４５が、弾性部材４２へと横切る第１の流体（Ｆ１）の流れを与えるために、キャップ４４に設けられている。第１の通路４３及び第２の通路４５は、弁４０を介して第１の流体（Ｆ１）の所定量の通過を効率的に与えるように協働する。
【００１７】
弁のサイズ、形状、向き、弾性部材及びさまざまな他の特徴が、弁４０を横切る第１の流体（Ｆ１）の流量を調整するように構成されている。閉止位置では、弾性部材４２は、容器１０とキャップ４４との間の漏れ止めシールを与えるように構成された弾性シーリング材により構成されている。キャップ４４は、容器１０の下側端部に弾性部材４２を取着することが可能な硬質キャップ等であることができる。
【００１８】
図３並びに図４は、膨張可能な容器システム１００の例示的な動作を示す図である。図３は、第１の容積（ＶＯＬ１）を有する膨張可能な容器システム１００を示す図である。図示されるように、図３の膨張可能な容器システム１００は、膨張可能な容器システム１００の内部圧力が膨張可能な容器システム１００を取り巻く外気圧で安定状態条件である位置にある。そのため、容器システム１００の外部の第１の流体（Ｆ１）（空気）は、膨張可能な容器システム１００の下側端部に配置された弁４０を通過しない。
【００１９】
図４は、図３に示される第１の容積（ＶＯＬ１）よりも大きな第２の容積（ＶＯＬ２）を有する膨張可能な容器システム１００を示す図である。膨張可能な容器システム１００は、膨張可能な容器システム１００内の内部圧力が減少され、膨張可能な容器システム１００を取り巻く気圧に対して真空を生成する位置にある。結果として、第１の流体Ｆ１（空気）は、引き入れられ、内部圧力と膨張可能な容器システム１００を取り巻く気圧との間の平衡を再構築しようとして、膨張可能な容器システム１００の下側端部に配置された弁４０を通過する。この条件は、膨張可能な乳首２０が引き延ばされ容器システム１００内に真空を生成したときに引き起こされることができ、これにより、弁４０の外部から第１の流体（Ｆ１）を引き入れる。
【００２０】
そうすることにより、膨張可能な容器システム１００の容積（ＶＯＬ２）は、容積（ＶＯＬ１）から、図３に示されるよりも多い所定量増加する。すなわち、膨張可能な乳首２０のアコーディオン状の首部分のひだ２３が延ばされるので、図４に示される膨張可能な乳首２０が、（図３並びに図４に示されるように）Ｈ１を超えて所定距離Ｈ２だけ広げられる。結果として、図４に示される容積（ＶＯＬ２）は、間隙ギャップ部分２５及びひだ２３の延長により増加され、これにより、図３に示される容積（ＶＯＬ１）よりも大きな容積（ＶＯＬ２）を形成する。同様に、図４に示される膨張可能な容器システム１００の内部圧力は、最初に減少し、これにより、容器システム１００の内部圧力が、図３に示される膨張可能な容器システム１００の内部圧力未満となる。
【００２１】
既に述べられたように、膨張可能な乳首２０は、図３に使用されるような非延長位置に保たれるように付勢される弾性材料でできている。それ故、使用者の手などによる膨張可能な乳首２０の首の把持が図４に示される初期位置からいったん解放されると、反作用圧縮力（Ｆｃ）が、膨張可能な乳首２０の弾性材料のひだ２３及び間隙ギャップ２５の延長によって生成される。すなわち、反作用力（Ｆｃ）は、図４に示される延伸位置から図３に示される圧縮された安定位置に膨張可能な乳首２０を戻すための付勢力を生成させる。反作用圧縮力（Ｆｃ）が、膨張可能な乳首２０を、ひだ２３及び間隙ギャップ２５を図３に示される安定状態位置に向かって戻すように圧縮させる。そのため、反作用圧縮力（Ｆｃ）は、膨張可能な容器システム１００内の拡大した容積（ＶＯＬ２）を圧縮し、これにより、膨張可能な容器システム１００内に配置された液体が、膨張可能な乳首２０の端部でオリフィス通路２１を通ってあふれるように付勢される。
【００２２】
膨張可能な容器システム１００で生成されるこの注入作用は、膨張可能な容器システム１００に初期圧力を初めに構築するために、膨張可能な乳首２０と一方向弁４０との両方との間に同時に作用する調整作用力である。延ばされた膨張可能な乳首２０の解放に際して、反作用圧縮力（Ｆｃ）が生成され、拡大した容積（ＶＯＬ２）の内部圧力をさらに増加させ、これにより、膨張可能な容器システム１００内の液体が、乳首の通路のオリフィス２１を通って注ぎ出されるように付勢される。
【００２３】
膨張可能な乳首及び通気弁の構成は、主題の開示の広い発明の概念を逸脱することなく、さまざまな変形や変更を取ることができる。
【００２４】
図５並びに図６は、膨張可能な容器システム１００の第１の通気弁４０ａの形態を示す分解図である。通気弁４０ａは、弾性部材４２ａと、キャップ４４ａとを有する。第１の流体（Ｆ１）の流れを与えるために、少なくとも１つの通路４３が弾性部材４２ａに設けられている。また、第１の流体（Ｆ１）の流れを与えるために、第２の通路４５がキャップ４４ａに設けられている。第１の通路４３及び第２の通路４５は、弁４０ａを介して容器１０に第１の流体（Ｆ１）の所定量の通過を効率的に与えるように協働する。
【００２５】
閉止位置では、弾性部材４２ａは、環状の凹んだ形態で構成され、容器１０とキャップ４４ａとの間に漏れ止めシールを与えるように構成された弾性シーリング材でできていることができる。弾性部材４２ａは、キャップ４４ａと容器１０の下側端部１４との間に配置されている。キャップ４４ａは、容器１０の下側端部１４に凹んだ噛合する雌ねじ部分３９ａに螺合して取着される。
【００２６】
図７、図８並びに図９は、膨張可能な容器システム１００の第２の通気弁４０ｂの形態を示す分解図である。通気弁４０ｂは、弾性部材４２ｂと、キャップ４４ｂと、リテーナ４６とを有する。流体の流れを与えるために、少なくとも１つの通路４３が弾性部材４２ｂに設けられている。また、第１の流体（Ｆ１）の流れを与えるために、第２の通路４５がキャップ４４ｂに設けられている。また、第１の流体（Ｆ１）の流れを与えるために、第３の通路４７がリテーナ４６に設けられている。第１の通路４３、第２の通路４５及び第３の通路４７は、弁４０ｂを介して流体の所定量の通過を効率的に与えるように協働する。
【００２７】
閉止位置では、弾性部材４２ｂは、平らな環状の形態で構成され、容器１０と、リテーナ４６と、キャップ４４ｂとの間の漏れ止めシールを与えるように構成された弾性シーリング材でできている。弾性部材４２ｂは、キャップ４４ｂと、容器１０の下側端部１４のリテーナ４６との間に配置されている。リテーナ４６は、図８に示されるような移動止め取着手段４６ｂを介してキャップ４４ｂに、又はリテーナ４６をキャップ４４ｂに取着するための他の機構にスナップロックされることができる。キャップ４４ｂは、容器１０の下側端部１４の外側部分に配置された噛合する雄ねじ部分３９ｂに螺合して取着される。
【００２８】
使用時、第２の通路４５は、容器１０の外部からアクセス可能である。構成されるように、通路４５のさまざまな通気孔が、主題の開示に記載されるようなこの特徴を果たすことができない以前の従来の弁機構とは異なり、保育者の指によってアクセスされ覆われることができる。すなわち、この主題の開示によれば、保育者は、１本の指で全ての通気用通路４５を選択的に遮断したり遮断解除したりすることができる。
【００２９】
図１０並びに図１１は、膨張可能な容器システム１００の第３の通気弁４０ｃの形態を示す分解図である。通気弁４０ｃは、弾性部材４２ｃと、キャップ４４ｃとを有する。第１の流体（Ｆ１）の流れを与えるために、少なくとも１つの通路４３が、弾性部材４２ｃに設けられている。また、第１の流体（Ｆ１）の流れを与えるために、第２の通路４５がキャップ４４ｃに設けられている。第１の通路４３及び第２の通路４５は、弁４０ｃを介して第１の流体（Ｆ１）の所定量の通過を効率的に与えるように協働する。
【００３０】
閉止位置では、弾性部材４２ｃは、アヒルのくちばし状の形態で構成され、容器１０とキャップ４４ｃとの間に漏れ止めシールを与えるように構成された弾性シーリング材でできている。弾性部材４２ｃは、キャップ４４ｃと容器１０の下側端部１４との間に配置されている。キャップ４４ｃは、容器１０の下側端部１４の外側部分に配置された噛合する雄ねじ部分３９ｃに螺合して取着されることができる。
【００３１】
図１２並びに図１３は、膨張可能な容器システム１００の第４の通気弁４０ｄの形態を示す分解図である。この通気弁４０ｄの構成は、共成形（co-mold）されることができる。通気弁４０ｄは、弾性部材４２ｄと、キャップ４４ｄとを有する。第１の流体（Ｆ１）の流れを与えるために、少なくとも１つの通路４５が、共成形された通気弁４０ｄに設けられている。通路４５は、効率的に、共成形された通気弁４０ｄを介して第１の流体（Ｆ１）の所定量の通過を与える。
【００３２】
閉止位置では、共成形された通気弁４０ｄは、アヒルのくちばし状の形態で構成され、容器１０と共成形された通気弁４０ｄとの間に漏れ止めシールを与えるように構成された弾性シーリング材で部分的にできていることができる。共成形された通気弁４０ｄは、容器１０の下側端部１４に配置された凹部３９ｄに配置されている。共成形された通気弁４０ｄは、１対のロック用突出部５０ａを利用する凹部３９ｄに取着される。
【００３３】
共成形された通気弁４０ｄは、フランジ５０ｃと、容器１０の端部で凹部３９ｄのロック用突出部５０ａの形状と噛合する切り欠き部５０ｂとを有する。使用時、共成形された通気弁４０ｄは、凹部３９ｄの内部でアライメントされ、フランジ５０ｃの切り欠き部５０ｂは、ロック用突出部５０ａの噛合形状とアライメントされている。フランジ５０ｃの上側面は、ロック用突出部５０ａの下側面の下に凹み、ノブ５０ｄによって捻られ、これにより、ロック用突出部５０ａ及びロック用突出部５０ａがもはやアライメントされず、キャップ４４ｄが引き出されるのを防ぐ。すなわち、フランジ５０ｃは、ロック用突出部５０ａの下側面に当たるフランジ５０ｃの上側面によって、容器１０の端部１４に配置された凹部３９ｄの内部にロックされる。
【００３４】
図１４並びに図１５は、膨張可能な容器システム１００の第５の通気弁４０ｅの形態を示す分解図である。通気弁４０ｅは、弾性部材４２ｅと、キャップ４４ｅとを有する。第１の流体（Ｆ１）の流れを与えるために、少なくとも１つの通路４３が弾性部材４２ｅに設けられている。第１の流体（Ｆ１）の流れを加減して与えるために、第２の通路４５がキャップ４４ｅに設けられている。第１の通路４３及び第２の通路４５は、通気弁４０ｅを介して第１の流体（Ｆ１）の所定量の通過を効率的に与えるように協働する。
【００３５】
閉止位置では、弾性部材４２ｅは、アヒルのくちばし状の形態で構成され、容器１０とキャップ４４ｅと間に漏れ止めシールを与えるように構成された弾性シーリング材でできている。弾性部材４２ｅは、キャップ４４ｅと容器１０の下側端部１４との間に配置されている。キャップ４４ｅは、容器１０の下側端部１４に設けられた凹部３９ｅに配置されている。通気弁４０ｅは、１対のロック用突出部５０ａを利用する凹部３９ｄに取着されている。
【００３６】
通気弁４０ｅは、フランジ５０ｃと、ロック用突出部５０ａの形状と噛合する切り欠き部分５０ｂとを有する。使用時、通気弁４０ｅ及び弾性部材４２ｅは、凹部３９ｄの内部にアライメントされ、フランジ５０ｃの切り欠き部５０ｂは、ロック用突出部５０ａの噛合する形状とアライメントされている。フランジ５０ｃの上面は、ロック用突出部５０ａの下面の下に凹み、ノブ５０ｄによって捻られ、これにより、切り欠き部５０ｂ及びロック突出部５０ａがもはやアライメントされず、引き出されるのを防ぐ。そして、フランジ５０ｃは、ロック用突出部５０ａの下面に当たるフランジ５０ｃの上面によって容器１０の端部１４に配置された凹部３９ｅにロックされる。
【００３７】
図１６並びに図１７は、キャップなしで弾性部材４０ｆを利用する膨張可能な容器システム１００の例示的な第６の一方向通気弁４０ｆの形態を示す図である。図示されるように、弾性部材４０ｆは、容器１０の側壁に設けられた一方向弁である。通気弁４０ｆは、容器１０の外側に配置された外側フランジ６２と、容器１０の内側に配置された内側フランジ６４とを有する弾性部材６４である。容器１０への流体の流れを効率的に加減するために、通気弁４０ｆは、一方向通気弁４０ｆの通路４５を有する。
【００３８】
一方向通気弁４０ｆのサイズ、形状、向きは、通気弁４０ｆを横切る流体の流量を効率的に調整するためにさまざまな形状を取ることができる。通気弁４０ｆは、容器１０と外部の大気との間に漏れ止めシールを設けるように構成された弾性シーリング材により構成されている。通気弁４０ｆは、容器１０の側壁に共成形されることができる。容器１０の壁が外側に突出しているとして図示されるが、通気弁４０ｆは、ここに与えられるさまざまな実施の形態に関して説明され図示されるようなさまざまなやり方で凹まされることができる。
【００３９】
弁のサイズ、形状、向き、その構成部品、弁の通路、及びさまざまな他の特徴が、主題の開示に従って、弁及びそのさまざまな構成部品を通る流体の流量を効率的に調整するために変更されることができることが理解される。
【００４０】
上に概説されるように、図１８、図１９並びに図２０は、容器システムの他の例示的な膨張可能な乳首２０ａの形態を示すさまざまな図である。膨張可能な乳首２０ａは、さまざまなひだ２３の間の間隙ギャップ２５に配置されたさまざまな突起２７を有する。突起２７は、膨張可能な乳首２０ａが曲がることが許される方向を制限するように動作する。膨張可能な乳首２０ａが突起２７に向かって曲げられると、突起２７は、ひだ２３がその特定の方向になすことができる曲げ又は圧縮の量を減少させる。しかしながら、膨張可能な乳首２０ａが突起２７がないか制限された数の突起２７が設けられている方向に曲げられると、膨張可能な乳首２０ａは、より少数の突起２７を備えたその特定の方向にさらに曲がることを許される。突起２７は、特定の方向への移動の方向付けをするか、移動量を制限するために、所定の構成で配置することができる。
【００４１】
この開示によれば、さまざまな材料が使用されることができ、これらに限定されないが、ポリプロピレン、熱可塑性エラストマ、高密度ポリエチレン、ポリカーボネート、ウレタンゴム、シリコーン、他の適切な材料が使用されることができる。
【００４２】
弾性部材４２は、取り外し可能であり、真空が容器１０内に生成されたとき、（空気などの）第１の流体（Ｆ１）が容器１０へと放出されるように構成されていることが理解されるべきである。さらに、容器システム１００の弾性部材４２は、使用者が、容器１０から出てくる（図２４、図２７並びに図２８に示され、以下に説明されるような）第２の流体（Ｆ２）の流れに直接影響する第１の流体（Ｆ１）の流量を手動で変更することを可能にするように構成されている。すなわち、膨張可能な容器システム１００から流れ出る流体は、弾性部材４２の入口開口の第１の通路４３を選択的に覆うことによって制御されることができる。
【００４３】
膨張可能な容器システム１００は、哺乳瓶として使用するとして図示されるが、容器システム及び弁４０は、さまざまな容器及び用途に使用されることができることが理解されるべきであり、例えば、香辛料、洗浄液、調理材料などの家庭用品、潤滑剤、汚れ除去剤、殺虫剤、芝生の手入れ用品などのハードウェア、レストラン等の香辛料などの商業用途、膨張可能な容器システム１００を用いた使用に適した他の収容物に使用されることができる。
【００４４】
図２４は、例示的な取り外し可能な一方向弾性部材４２と一体化されて図示されるような哺乳瓶のような、膨張可能な容器システム１００を用いて乳児４に授乳している保育者２を示す図である。弾性部材４２の開口通路４３を選択的に操作することによって、一方向弾性部材４２が第１の流体（Ｆ１）の流れを制御することができ、膨張可能な容器システム１００から流出する第２の流体（哺乳瓶中の調合乳などのＦ２）の流体の流れに影響する。
【００４５】
図２５並びに図２６は、膨張可能な容器システム１００の他の例示的な形態を示す図である。膨張可能な容器システム１００は、カバー７０と、膨張可能な乳首２０と、カラー３０と、容器１０と、弾性部材４２とを有する。例示目的のために、弾性部材４２ｆが設けられている。この実施の形態によれば、保持用キャップは設けられておらず、漏れ防止シール、及び、弾性部材４２ｆの第１の通路４３を介したボトル１０への第１の流体（Ｆ１）の流れは、弾性部材４２ｆの形態によって制御される。
【００４６】
図２７ないし図２９の動作に示されるように、容器１０の下側端部２４に配置された取り外し可能な一方向弾性部材４２ｆは、弾性部材４２ｆへと横切る第１の流体（Ｆ１）の流量を調整するために、入口の第１の通路４３を覆ったり覆いを外したりする保育者２の指によって手動で操作されることができる。一方向弾性部材４２ｆの通路４３を手動で操作することによって、乳首２０のオリフィスから出る第２の流体（Ｆ２）の流れが制御されることができる。すなわち、容器１０への第１の流体（Ｆ１、空気など）の流れを制御することによって、保育者は、空気が容器１０の底部から中に入ることを可能にすることにより、空気の取り込みの量を減少させ、容器１０中の空気を減少させることができる。同様に、弾性部材４２ｆへの第１の流体（Ｆ１）の流量の増加又は減少を操作することによって、容器１０から出る、及び乳児の口の中に入る第２の流体（Ｆ２）の流量が、便宜的に増加又は減少されることができる。
【００４７】
弾性部材４２ｆの第１の通路４３は、弾性部材４２ｆを横切って容器１０へと流れる第１の流体（Ｆ１）の流れを遅くするために、弾性部材４２ｆの入口端部４３ａで、図２８並びに図２９に示されるように選択的に閉じられることができる。あるいは、弾性部材４２ｆの入口端部４３ａは、容器１０への第１の流体（Ｆ１）の流量を変更するために選択的に操作されることができ、続いて、容器１０から出る、及び乳児の口の中に入る第２の流体（Ｆ２）の流量を制御する。
【００４８】
図示されるように、膨張可能な容器システム１００は、容器１０の下側端部に近い幅の狭い首１０ａの部分を有する哺乳瓶として具体化される。幅の狭い首１０ａの部分を設ける利点は、保育者が、容器１０の下側端部から容器１０をよりしっかりかつ快適に保持することを可能にしながら、保育者の指が弾性部材４２ｆの入口通路４３に近く便宜的に隣接して置かれることを可能にすることである。そのため、保育者は、膨張可能な容器システム１００の通路４３の開閉を便宜的に制御することができる。
【００４９】
さらに、弾性部材４２は、（この主題の開示に説明された膨張可能な乳首２０などの）膨張可能な出口装置を使用しない容器で使用されることができることが理解されるべきである。このようなシステムでは、延長可能でない乳首が使用されることができ、使用者は、弾性部材の通路を選択的に覆ったり覆いを外したりすることによって、容器１０から出てくる第２の流体（Ｆ２）の流量を選択的に制御することができる。同様に、乳首は、容器１０の下側端部又は他の壁に配置された弾性部材４２の入口通路４３を使用者が選択的に覆ったり覆いを外したりすることによって手動で操作されることができる一方向弁と一体化することが可能なさまざまな製品のための他のタイプの供給部又は供給要素と置き換えられることができる。
【００５０】
弁機構がボトル容器のさまざまな位置に配置されることができることが理解されるべきである。例えば、弁は、カラーに、供給要素に、容器の上部の近くで容器に、側面に、又は容器の底部に位置されることができる。この主題の開示によれば、入口は、使用者の手によって、特に、使用者の指によって任意の位置で操作されることができる。
【００５１】
図２７を参照すると、膨張可能な哺乳瓶は、カラー３０によって容器１０に取着された膨張可能な乳首２０を有する。膨張可能な乳首２０は、乳児が膨張可能な乳首２０を吸引するときに容器１０中に保持された第２の流体（Ｆ２）がそこから流れる出口２１を有する。この実施の形態に示されるように、弾性部材４２ｆは、容器１０の下側端部２４に設けられ、保育者２の指によって容易にアクセス可能である。
【００５２】
図２８並びに図２９は、弾性部材４２ｆのさまざまな動作を示す図である。図２７並びに図２８では、弾性部材４２ｆの第１の通路４３は、遮断解除され開かれて図示されている。この位置では、容器２０の内部からの第２の流体（Ｆ２）が容器１０中の反対側の端部から引き出されるので、弾性部材４２ｆは、第１の流体（空気などのＦ１）の所定量が真空下で弾性部材４２ｆの第１の通路４３を介して容器１０に入るように、通気孔として動作する。容器１０の内部に真空が構築されたとき、弾性部材４２ｆの第１の通路４３に引き入れられた空気の流入が起こる。真空は、容器１０の外側に配置された周囲空気から空気を取り出す。容器１０が（図２７に示されるような）哺乳瓶である場合には、弾性部材４２ｆの第１の通路４３を横切る容器１０中に構築された空気を自動的に規制することができ、上で述べられたような乳児の育児へのさまざまな長所を有する。
【００５３】
図２９に示されるように、弾性部材４２ｆの第１の通路４３は、容器１０の外部から保育者２によってアクセス可能である。使用時、保育者２の指先は、弾性部材４２ｆへの第１の流体（Ｆ１）の流れを閉じるために、弾性部材４２ｆの入口通路４３ａの上に置かれることができる。
【００５４】
この閉止位置では、保育者２の指が弾性部材４２ｆの第１の通路４３を遮断し、第１の流体（Ｆ１、即ち空気）が弾性部材４２ｆの第１の通路４３を通って容器１０に流入することができない。このように、使用者は、弾性部材４２ｆの第１の通路４３を選択的に遮断することによって、乳首２０のオリフィス２１から出る第２の流体（Ｆ２）の流れを操作することができる。弾性部材４２ｆの第１の通路４３を遮断することによって、第２の流体（Ｆ２）が乳首２０のオリフィス２１の出口を通って引き出されるので、容器２０の第２の流体（Ｆ２）の移動の結果として真空が容器１０に生成される。ならならば、容器１０から逃げる第２の流体（Ｆ２）の移動を戻すように空気が弾性部材４２ｆの第１の通路４３を通って容器１０に入ることを許されないからである。
【００５５】
容器１０中の真空が増加したとき、容器１０の内部からの流体の連続的な引き出しは、容器１０の内部の負圧の真空の構築のために、乳首２０のオリフィス２１から吸い出すのがより難しくなる。
【００５６】
保育者２は、図２８並びに図２９に示されるように、保育者の指で弾性部材４２ｆの第１の通路４３を断続的に遮断したり遮断解除したりすることによって、容器１０から出てくる第２の流体（Ｆ２）の流れを選択的に操作することができる。容器１０から供給された第２の流体（Ｆ２）の流れの手動操作は、保育者の指で弾性部材４２ｆの第１の通路４３を断続的に遮断したり遮断解除したりすることなどによって、弾性部材４２ｆの通路４３への第１の流体（Ｆ１）の流れを調節することによって制御される。
【００５７】
図３０ないし図３３は、膨張可能な容器システム１００の弾性部材４２ｆの形態を示すさまざまな図である。図３２に横断面で示されるように、弾性部材４２ｆは、第１の入口通路４３ａと、出口通路４３ｂとを備えた通路４３を有する。出口通路４３ｂは、一端部で互いに隣接している２つのリップ４３ｃを有するアヒルのくちばし状の形態で構成され、流体が容器１０を通過するように、容器システム１００の内部及び外部の圧力差に応答して開閉する。
【００５８】
図示されるように、弾性部材４２ｆは、図２８並びに図２９に示されるような、リップの下側端部を規定している上側ショルダ部分４３ｅと、容器１０の下側端部の凹部３９ｄ内で係合する大きなフランジへと延びている下側ショルダ部分４３ｆとによって境界が定められた幅の狭い首部分４３ｄを有する。凹部３９ｄは、弾性部材４２ｆを受けるように構成されている。凹部３９ｄの内部に取着された弾性部材４２ｆは、容器１０の内側及び外側の流体の漏れを防ぐ漏れ止めシールを与える。弾性部材４２のさまざまな形態が可能である。
【００５９】
図３４並びに図３５は、膨張可能な容器システム１００で使用される他の弾性部材４２ｇの形態を示す図である。図３５の横断面図に示されるように、弾性部材４２ｇは、第１の入口通路４３ａと、出口通路４３ｂとを備えた通路４３を有する。出口通路４３ｂは、既に述べられたように、容器システム１００の内部及び外部の圧力差に応答して開閉する１対のリップ４３ｃを有するアヒルのくちばし状の形態で構成されている。
【００６０】
図示されるように、弾性部材４２ｇは、リップの下側端部を規定している上側ショルダ部分４３ｅと、容器１０の下側端部の凹部３９ｄの内部に係合する大きなフランジに延びている下側ショルダ部分４３ｆとによって境界が定められたフレア状の幅の狭い首部分４３ｈを有する。凹部３９ｄは、弾性部材４２ｇを受けるように構成されている。凹部３９ｄの内部に取着された、弾性部材４２ｇは、容器１０の内部及び外部の漏れを防ぐ漏れ防止シールを与える。
【００６１】
図３６及び図３７、並びに図２５及び図２６は、カバー７０を有する容器システム１０
０を示す図である。カバー７０は、容器１０の上に取り外し可能に取着されるように構成
されている。特に、カバー７０は、膨張可能な乳首２０を覆って汚染から保護するために
、容器システム１００に取着される。
【００６２】
カバー７０は、さまざまなやり方で容器１０に取り付けられることができる。例えば、図３８ないし図４０に示されるように、カバー７０は、カラー３０上の容器１０に摩擦係合によって取着されることができ、これにより、カバー７０の下側端部７６の内径は、カラー３０の外径よりもわずかに小さい。カバー７０がカラー３０の上に置かれ、その上に押圧されたとき、２つの構成要素間に摩擦係合が形成される。カバー７０は、容器１０のさまざまな他の構成要素に取り付けられることができることが理解されるべきである。
【００６３】
図２５及び図２６、並びに図３６及び図３７に示されるように、カバー７０は、取り付け機構７４によって対象物に容器システム１００のカバー７０を取り付けるために設けられた取着部材７２を有する。図示される取着部材７２は、取着部材７２が開かれるかアクセスされ、対象物に取着されることを可能にするために、開口７２ａを有するループ状の取り付け部材として構成されている。取着部材７２は、小売店の釘などの釘等にカバー７０を取着してアライメントさせるように構成された取着部材７２のループ状部分のわずかな凹部７２ｂのような、ループ状の取着部材内のさまざまな外形を有することができる。カバー７０と一体化された取着部材７２は、さまざまな形態を取ることができ、これらに限定されないが、ホック、ベルトループ、ストラップ、ベルクロ（登録商標）の付属部、ジッパー、主題の開示に従う他のタイプの適切な取着部材などを含むことができる。
【００６４】
図３６ないし図４０は、取り外し可能なカバー７０と、カバー７０に、及びカラー３０にそれぞれ配置された相補的な部品を有する例示的な取り付け機構７４とを示す図である。より詳しくは、カバー７０は、閉止端部７５と開放端部７６とを有する。相補的な取り付け機構７４の第１の部分は、カバー７０の内面から内側に突出している突条部７７を有することができる。突条部７７は、カバー７０の開放端部７６に隣接して配置されている。
【００６５】
相補的な取り付け機構７４の第２の部分は、カラー３０に配置されている。相補的な取り付け機構７４の第２の部分は、取着されるようにして、突条部７７と噛合して突条部を受けるように構成された、カラー３０のわずかな凹部７８を有することができる。
【００６６】
カバー７０が図２６並びに図３８に示されるようにカラー３０に取り付けられたとき、突条部７７は、凹部７８とアライメントされ、取着される。突条部７７と凹部７８との間でなされた接続は、流体で満たされ対象物に取り付けられた容器１０の通常の押圧を克服するのに十分に強い。例えば、哺乳瓶の場合には、取着部材７２は、ベビーカー、おむつバッグ、ベルトループ等に取り付けられたとき、ベビーカーと共にきびきびと歩いている人などの通常の移動によってはカバー７０がカラー３０から外れない。
【００６７】
取り付け機構７４は、突条部７７及び噛合する凹部７８として図示されるが、取り付け機構７４は、カバー７０をカラー３０に取着することが可能な任意の取り付け機構であることができることが理解されるべきである。例えば、取り付け機構７４は、ねじ式の取着部、（図３９並びに図４０に示されるような）スナップロック接続、主題の開示に従う他のタイプの取り付け機構として具体化されることができる。同様に、カバー７０がカラー３０と係合されるとして図示されるが、カバー７０は、容器１０の本体などの容器システム１００の他の構成要素に適切に取着された接続をなすことができることが理解されるべきである。
【００６８】
図３９並びに図４０は、スナップロック取着機構７４を示す図である。前のように、相補的な取り付け機構７４の第１の部分は、突条部７７を有することができる。突条部７７は、図３９に示されるようなカバー７０の開放端部７６に隣接して配置されることができる。
【００６９】
相補的な取り付け機構７４の第２の部分は、カラー３０に配置されることができる。相補的な取り付け機構７４の第２の部分は、突条部７７と噛合して突条部を受けるように構成されたわずかな凹部７８を有することができる。
【００７０】
また、カバー７０が授乳用容器として使用されるように構築され構成されることができることが理解されるべきである。すなわち、保育者２は、それを逆さにすることにより食べ物用ボウルとしてカバー７０を使用することができ、カバー７０の開いた部分が、ほぼ上向きに面し、その中にさまざまな食べ物が入れられることができる下側閉止端部７５のボウルを形成している。ボウル又は同様の容器として逆さまで使用されたとき、スプーン又はフォークなどの器具が、カバー７０の下側閉止端部７５から中の食べ物をすくい上げるために使用されることができる。このような使用時には、取着部材のループ７２は、指用の孔として便宜的に使用されることができ、保育者がカバー７０のループ７２を介して指をループ状にして孔に通すことによって手にボウルを取着させることができる。
【００７１】
カバーは、（小さじ、大さじ、カップ、リットル等の測定単位のような）さまざまなレベルの測定単位の指標を有することができる。ボウル状の容器として使用されたとき、保育者は、ボウルとして使用されたときにカバー７０に配置されたものの量を視覚的に識別することができる。
【００７２】
ここに与えられる図及び例は、説明目的であり、添付の特許請求の範囲を限定することを意図するものではない。当業者によって、本発明の広い発明の概念を逸脱することなく、上で説明された実施の形態にさまざまな変形及び変更がなされることができることが認識される。それ故、本発明は、説明される特定の実施の形態に限定されるものではなく、本発明の範囲及び意図内であらゆる変形及び変更をカバーするように意図されていることが理解される。
【図１】
2018108387.tif 000003
【図２】
2018108387.tif 000004
【図３】
2018108387.tif 000005
【図４】
2018108387.tif 000006
【図５】
2018108387.tif 000007
【図６】
2018108387.tif 000008
【図７】
2018108387.tif 000009
【図８】
2018108387.tif 000010
【図９】
2018108387.tif 000011
【図１０】
2018108387.tif 000012
【図１１】
2018108387.tif 000013
【図１２】
2018108387.tif 000014
【図１３】
2018108387.tif 000015
【図１４】
2018108387.tif 000016
【図１５】
2018108387.tif 000017
【図１６】
2018108387.tif 000018
【図１７】
2018108387.tif 000019
【図１８】
2018108387.tif 000020
【図１９】
2018108387.tif 000021
【図２０】
2018108387.tif 000022
【図２１】
2018108387.tif 000023
【図２２】
2018108387.tif 000024
【図２３】
2018108387.tif 000025
【図２４】
2018108387.tif 000026
【図２５】
2018108387.tif 000027
【図２６】
2018108387.tif 000028
【図２７】
2018108387.tif 000029
【図２８】
2018108387.tif 000030
【図２９】
2018108387.tif 000031
【図３０】
2018108387.tif 000032
【図３１】
2018108387.tif 000033
【図３２】
2018108387.tif 000034
【図３３】
2018108387.tif 000035
【図３４】
2018108387.tif 000036
【図３５】
2018108387.tif 000037
【図３６】
2018108387.tif 000038
【図３７】
2018108387.tif 000039
【図３８】
2018108387.tif 000040
【図３９】
2018108387.tif 000041
【図４０】
2018108387.tif 000042
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
容器と、
前記容器の第１の端部に取り付けられる膨張可能な乳首と、
前記容器の第２の端部に取り付けられる取り外し可能な弁とを具備し、
前記容器への第１の流体の流入を制御するために、前記弁の入口が選択的に遮断及び遮断解除される膨張可能な容器システム。
【手続補正２】
【補正対象書類名】明細書
【補正対象項目名】０００１
【補正方法】変更
【補正の内容】
【０００１】
本出願は、２０１２年１２月３日に出願され「容器を通気し、容器から流体を流入し、容器からの流体の流量を変更するためのシステム及び方法」と題された米国特許出願番号１３／６９２，７６０、２０１２年５月１５日に出願され「容器内の圧力を調整するための方法及び装置」と題された米国仮出願番号６１／６４７，３４１、２０１１年１２月１日に出願され「容器を通気し、容器から流体を流入するためのシステム及び方法」と題された米国仮出願番号６１／５６５，９７２による優先権を主張する、「容器を通気し、容器から流体を流入し、容器からの流体の流量を変更するためのシステム及び方法」とダイされた国際特許出願番号ＰＣＴ／ＵＳ２０１２／０６７６３４の優先権を主張する国内移行段階の出願であり、上述の出願の各々の内容全体が、法によって許容される範囲まで、参照としてこの開示に組み込まれる。
【手続補正３】
【補正対象書類名】明細書
【補正対象項目名】００７２
【補正方法】変更
【補正の内容】
【００７２】
ここに与えられる図及び例は、説明目的であり、添付の特許請求の範囲を限定することを意図するものではない。当業者によって、本発明の広い発明の概念を逸脱することなく、上で説明された実施の形態にさまざまな変形及び変更がなされることができることが認識される。それ故、本発明は、説明される特定の実施の形態に限定されるものではなく、本発明の範囲及び意図内であらゆる変形及び変更をカバーするように意図されていることが理解される。
以下、本出願の出願当初の特許請求の範囲に記載された発明を付記する。
［１］  容器と、
前記容器の第１の端部に取り付けられる膨張可能な乳首と、
前記容器の第２の端部に取り付けられる取り外し可能な弁とを具備し、
前記容器への第１の流体の流入を制御するために、前記弁の入口が選択的に遮断及び遮断解除される膨張可能な容器システム。
［２］  前記弁の入口は、前記膨張可能な乳首の出口からの第２の流体の流出を制御するために、選択的に遮断及び遮断解除される［１］の膨張可能な容器システム。
［３］  前記弁の入口が遮断されたとき、前記容器中の圧力が減少され、前記膨張可能な乳首の出口から流出する前記第２の流体の流量が減少される［１］の膨張可能な容器システム。
［４］  遮断解除位置では、前記膨張可能な乳首を延ばすことによって、逆方向への付勢力が前記容器内に生成され、前記第１の流体が前記弁を通って引き入れられ、これにより、前記膨張可能な乳首が解放されたとき、前記膨張可能な乳首が非延長状態に向かって戻るように付勢され、前記反作用付勢力によって生じた圧力の増加が、前記第２の流体を前記膨張可能な乳首の出口から流出させる［１］の膨張可能な容器システム。
［５］  前記膨張可能な乳首は、カラーによって前記容器の前記第１の端部に取着される［１］の膨張可能な容器システム。
［６］  前記弁は、弾性部材と、キャップとにより構成され、前記容器の前記第２の端部の凹部に配置されている［１］の膨張可能な容器システム。
［７］  前記弁は、その表面の一方の容器に配置されている［１］の膨張可能な容器システム。
［８］  前記膨張可能な乳首は、アコーディオン状の乳首である［１］の膨張可能な容器システム。
［９］  前記アコーディオン状の乳首は、前記アコーディオン状の乳首のひだに隣接している少なくとも１つの突起を有する［８］の膨張可能な容器システム。
［１０］  取着部を備えたカバーをさらに具備し、
前記カバーは、第１の開放端部と、前記取着部に隣接している第２の閉止端部とを有する［１］の膨張可能な容器システム。
［１１］  前記取着部は、使用者の手の一部を受けるように構成され、使用のために前記カバーを逆さにしたとき、前記カバーがボウル状の容器となる［１０］の膨張可能な容器システム。
［１２］  前記カバーは、前記カラーに取り外し可能に取着され、
前記カバーは、第１のロック要素を有し、
前記カラーは、前記カバーと噛合し、かつ、前記カバーへの取着用取り付け部を形成するように構成された第２のロック要素を有する［１］の膨張可能な容器システム。
［１３］  容器と、
前記容器の第１の端部に取り付けられた出口を有する供給要素と、
前記容器の第２の端部に取り付けられた入口を備えた通路を有する弁とを具備し、
前記弁の入口は、前記容器への第１の流体の流入を制御するために、選択的に遮断及び遮断解除される容器システム。
［１４］  前記弁の入口を選択的に遮断及び遮断解除することにより、前記出口のオリフィスからの第２の流体の流出を選択的に制御する［１３］の容器システム。
［１５］  前記弁の入口が遮断されたとき、前記容器中の圧力が減少されて、前記供給要素の前記オリフィスから流出する前記第２の流体の流量を減らす［１４］の容器システム。
［１６］  前記弁は、弾性部材と、前記容器の前記第２の端部の凹部に配置されたキャップとを有し、前記容器の形が合わせられた首は、前記容器の下側端部に隣接して配置される［１３］の容器システム。
［１７］  容器と、
前記容器の第１の端部に取り付けられるカラーと、
前記カラーによって前記容器の前記第１の端部に取り付けられる膨張可能な乳首と、
前記容器の第２の端部に取り付けられる弁とを具備し、
前記弁の入口は、前記容器への第１の流体の流入を制御するために、選択的に遮断及び遮断解除され、前記膨張可能な乳首の出口のオリフィスからの第２の流体の流出の遮断及び遮断解除を選択的に制御する膨張可能な容器システム。
［１８］  前記弁への入口が使用者によって手動で遮断されたとき、前記容器中の圧力が減少され、これにより、前記膨張可能な乳首の前記オリフィスから流出する前記第２の流体の流量を減らす［１７］の膨張可能な容器システム。
［１９］  前記弁は、一方向弁を有し、前記一方向弁は、
通路と、
前記通路の第１の端部に配置される環状フランジの入口と、
前記通路の第２の端部に配置され、付勢されて閉じる円錐形出口と、
前記容器の開口の周縁を受けるように構成された首部分とを有し、
前記首部分は、前記環状フランジの一部を備えた第１のショルダと、前記円錐形出口の一部を備えた第２のショルダとを有する［１７］の膨張可能な容器システム。
［２０］  前記入口が遮断解除位置にあるとき、前記膨張可能な乳首を延ばすことによって、逆方向への付勢力が前記容器内に生成され、前記第１の流体が前記弁を通って引き入れられ、
これにより、前記膨張可能な乳首が解放されたとき、前記膨張可能な乳首が非延長状態に向かって戻るように付勢され、前記反作用付勢力によって生じた圧力の増加が、第２の流体を前記膨張可能な乳首の出口から流出させる［１７］の膨張可能な容器システム。
［２１］  容器と、
前記容器の第１の端部に取り付けられる膨張可能な乳首と、
前記容器の第２の端部に取り付けられる取り外し可能な一方向弁とを具備し、
前記膨張可能な乳首が延ばされたとき、前記膨張可能な乳首によって、第１の流体が前記弁を通って引き入れられ、逆方向への付勢力が生成され、これにより、前記膨張可能な乳首が非延長状態に向かって反対方向に移動したとき、前記反作用付勢力によって生じた圧力の増加が、第２の流体を前記膨張可能な乳首の出口から流出させる膨張可能な容器システム。
［２２］  前記第１の流体はまた、前記膨張可能な乳首を吸って前記膨張可能な乳首の出口から前記第２の流体を引き出す乳児又は動物によって引き入れられることができる［２１］の膨張可能な容器システム。
［２３］  容器と、
前記容器の前記第１の端部に取り付けられる膨張可能な乳首と、
前記容器の第２の端部に取り付けられる取り外し可能な一方向弁とを具備し、
前記膨張可能な乳首が延ばされたとき、第１の流体が前記弁を通って引き入れられ、
前記膨張可能な乳首が反対の非延長方向に移動されたとき、前記容器内の圧力が増加され、前記膨張可能な乳首の出口から第２の流体を流出させる膨張可能な容器システム。
［２４］  前記膨張可能な乳首を咥えている乳児の延長及び非延長方向への口の動きにより、前記容器内の前記第２の流体が前記膨張可能な乳首の出口から流出される［２３］の膨張可能な容器システム。
［２５］  前記膨張可能な乳首を咥えている乳児の口によって引き起こされる吸引真空圧力により、前記容器内の第２の流体が前記膨張可能な乳首の出口から流出される［２３］の膨張可能な容器システム。
【外国語明細書】
2018108387000001.pdf